(57)【要約】  圧力安全デバイスと共に使用するための無線モニタリングシステムが述べられる。例示的な無線モニタリングシステムは、フィールドデバイスと、フィールドデバイスによって生成される信号を受信するためにフィールドデバイスに結合した無線送受信機とを含む。無線送受信機は内蔵電力モジュールを有する。無線インタフェースは、介在する本質安全バリアパネルなしで無線送受信機に通信可能に結合される。無線インタフェースは、無線送受信機からの信号を無線で受信する。【選択図】図３
2014523037.tif 000002
【特許請求の範囲】
【請求項１】
無線モニタリグシステムであって、
フィールドデバイスと、
前記フィールドデバイスによって生成される信号を受信するために前記フィールドデバイスに結合した無線送受信機であって、内蔵電力モジュールを有する、無線送受信機と、
介在する本質安全バリアパネルなしで前記無線送受信機に通信可能に結合した無線インタフェースであって、前記無線送受信機からの信号を無線で受信する、無線インタフェースとを備えるシステム。
【請求項２】
前記フィールドデバイスは、流体格納容器内の流体の圧力を監視するためのものである請求項１に記載のシステム。
【請求項３】
前記無線送受信機は、前記信号を受信する第１のディスクリート入力を有する請求項１又は２に記載のシステム。
【請求項４】
前記無線インタフェースに通信可能に結合される制御システムをさらに備える請求項１から３のいずれか１項に記載のシステム。
【請求項５】
前記制御システムは、非危険場所にあり、前記フィールドデバイスおよび前記無線送受信機は、危険場所に配置される請求項１から４のいずれか１項に記載のシステム。
【請求項６】
前記フィールドデバイスは、それぞれのパイプのフランジ間に結合されたバーストセンサである請求項１から５のいずれか１項に記載のシステム。
【請求項７】
前記バーストセンサは、前記流体格納容器内の圧力が所望の設定点圧力より大きいときに係合位置から脱係合位置に移動するフィラメントを有し、前記脱係合位置に移動する前記フィラメントは、前記センサに前記信号を生成させる請求項１から６のいずれか１項に記載のシステム。
【請求項８】
前記バーストセンサは、前記フィラメントが前記脱係合位置に移動すると、前記無線送受信機の前記ディスクリート入力に前記信号を電子的に送出するスイッチセンサを備える請求項１から７のいずれか１項に記載のシステム。
【請求項９】
前記無線フィールドデバイスインタフェースは、複数のフィールドデバイスに通信可能に結合する複数のディスクリート入力をさらに備える請求項１から８のいずれか１項に記載のシステム。
【請求項１０】
複数のフィールドデバイスに結合した複数の無線送受信機をさらに備え、前記複数の無線送受信機からの１つの無線送受信機は、１つまたは複数の無線通信によって前記複数の無線送受信機からの別の無線送受信機に無線で通信して、メッシュネットワークを形成するためのものである請求項１から９のいずれか１項に記載のシステム。
【請求項１１】
システムをモニターする方法であって、
フィールドデバイスによってプロセス流体の流体特性をモニターすること、
前記フィールドデバイスを、危険場所で使用するための本質安全認証を提供する無線送受信機に通信可能に結合すること、
本質安全バリアを使用することなく、前記フィールドデバイスによって生成される信号を、前記無線送受信機によって無線インタフェースに送出することを含む方法。
【請求項１２】
前記無線インタフェースを制御システムに通信可能に結合させることをさらに含む請求項１１に記載の方法。
【請求項１３】
前記流体特性をモニターすることは、流体格納容器内の前記プロセス流体の圧力を、バーストセンサを前記流体格納容器に結合させることによってモニターすることを含み、前記バーストセンサは、前記流体格納容器内の圧力が所定の圧力値より大きいと破断位置に移動するフィラメントを有する請求項１１又は１２に記載の方法。
【請求項１４】
前記フィラメントが前記破断位置に移動すると前記無線送受信機に前記信号を電気的に送出することをさらに含む請求項１１から１３のいずれか１項に記載の方法。
【請求項１５】
内蔵電力モジュールによって前記無線送受信機に電力供給することをさらに含む請求項１１から１４のいずれか１項に記載の方法。
【請求項１６】
非危険場所に配置された制御室内に前記制御システムを設置すること、ならびに、危険場所に前記フィールドデバイスおよび前記無線送受信機を設置することをさらに含む請求項１１から１５のいずれか１項に記載の方法。
【請求項１７】
無線フィールドデバイス組立体であって、
プロセス流体の流体パラメータをモニターするセンサであって、前記流体パラメータがプリセット値より大きいかまたは小さいときに電気信号を生成する、センサを有するフィールドデバイスと、
前記フィールドデバイスに結合した無線送受信機とを備え、前記無線送受信機は、危険状態で使用するための本質安全認証を提供する内蔵電力モジュールを有し、前記フィールドデバイスの前記センサによって生成される電気信号を受信する第１のディスクリート入力を有し、介在する本質安全パネルなしで前記受信された電気信号を無線インタフェースに通信する組立体。
【請求項１８】
前記フィールドデバイスは、バーストセンサを備える請求項１７に記載の組立体。
【請求項１９】
前記バーストセンサは、流体格納容器内の前記プロセス流体の圧力をモニターするためのものであり、前記電気信号は、前記流体格納容器内の圧力が所望の設定点圧力より大きいことを示すために、前記フィールドデバイスによって生成される請求項１７又は１８に記載の組立体。
【発明の詳細な説明】
【技術分野】
【０００１】
本特許は、圧力安全デバイスに関し、より具体的には、圧力安全デバイスと共に使用するための無線モニタリングシステムに関する。
【背景技術】
【０００２】
プロセス制御システムは、プロセスパラメータを制御しかつ／またはモニターするために種々のフィールドデバイスを使用する。たとえば、格納容器内の流体の圧力は、プロセス制御システムにおいて、通常、モニターされるパラメータである。圧力逃がし弁および破壊ディスクは、格納容器内で流体（たとえば、液体、気体、流体力（ｆｌｕｉｄ  ｐｏｗｅｒ））の過剰加圧または過小加圧を防止するために安全デバイスとして使用されることが多い。たとえば、圧力逃がし弁は、格納容器内の流体の作動圧が圧力逃がし弁の圧力定格を超えると、格納容器内の圧力が逃がされることを可能にする。破壊ディスクは、（たとえば、圧力逃がし弁によって、破壊ディスクによって大気に直接に、などで）圧力が格納容器から逃がされているという信号または指示を提供するセンサである。
【０００３】
モニタリングデバイスは、制御システムに実配線されることが多い。しかし、モニタリングデバイスを制御システムに実配線することはコストを著しく増加させる。さらに、危険状態でまたは危険エリアで使用されるモニタリングデバイスは、モニタリングデバイスのセンサに電力を提供する本質安全（ｉｎｔｒｉｎｓｉｃａｌｌｙ  ｓａｆｅ）（ＩＳ）電力モジュールまたはパネルを必要とする。パネルは、その後、非危険エリア内に配置される制御システムに実配線される。こうした構成はコストを著しく増加させる。
【発明の概要】
【課題を解決するための手段】
【０００４】
例示的な無線モニタリングシステムは、フィールドデバイスと、フィールドデバイスによって生成される信号を受信するためにフィールドデバイスに結合した無線送受信機とを含む。無線送受信機は内蔵電力モジュールを有する。無線インタフェースは、介在する本質安全バリアパネルなしで無線送受信機に通信可能に結合される。無線インタフェースは、無線送受信機からの信号を無線で受信する。
【０００５】
システムをモニターする例示的な方法は、フィールドデバイスによってプロセス流体の流体特性をモニターすること、および、フィールドデバイスを、危険場所で使用するための本質安全認証を提供する無線送受信機に通信可能に結合することを含む。方法はまた、本質安全バリアを使用することなく、フィールドデバイスによって生成される信号を、無線送受信機によって無線インタフェースに送出することを含む。
【０００６】
例示的な無線フィールドデバイス組立体は、プロセス流体の流体パラメータをモニターするセンサを有するフィールドデバイスを含む。センサは、流体パラメータがプリセット値より大きいかまたは小さいときに電気信号を生成する。無線送受信機は、フィールドデバイスに結合され、危険状態で使用するための本質安全認証を提供する内蔵電力モジュールを有する。無線送受信機は、フィールドデバイスのセンサによって生成される電気信号を受信する第１のディスクリート入力を有し、介在する本質安全パネルなしで、受信された電気信号を無線インタフェースに通信する。
【図面の簡単な説明】
【０００７】
【図１】知られているモニタリングシステムを示す図である。
【図２】本明細書で開示される教示による例示的な無線モニタリングシステムのブロック図である。
【図３】本明細書で述べる例示的な無線モニタリングシステムを示す図である。
【図４】本明細書で開示される例示的な無線モニタリングシステムを実装するための例示的な方法のフローチャートである。
【発明を実施するための形態】
【０００８】
本明細書で述べる例は、プロセスシステムの圧力安全デバイスを無線でモニターするための方法および装置に関する。より具体的には、本明細書で述べる例示的な無線モニタリングシステムは、危険状態または危険環境で使用するためのモニタリングデバイスのセンサに結合されうる、本質安全自己電力供給式無線インタフェースまたは送信機（たとえば、送受信機）を使用する。結果として、本明細書で述べる例示的な無線モニタリングシステムは、たとえば制御室と圧力安全デバイスのセンサとの間に挿入される本質安全パネルにセンサを配線する必要性をなくす。本質安全（ＩＳ）は、たとえば石油化学産業の爆発性または揮発性雰囲気などの危険エリアにおける電子機器を有するデバイスの安全運転のための保護認証である。「本質安全（ｉｎｔｒｉｎｓｉｃａｌｌｙ  ｓａｆｅ）」と呼ばれるデバイスは、火花を生成する、または、可燃性気体、埃、または燃料などがあるエリア内で引火を生じるのに十分な熱を生成しうる任意の成分をなくすまたはカプセル化するように設計され認証される。
【０００９】
本明細書で述べる例示的な無線モニタリングシステムは、無線インタフェースまたは無線送信機または無線送受信機に結合された流体特性または流体のパラメータ（たとえば、流体の圧力）をモニターするセンサを含む。無線送信機または無線送受信機を、センサに直接結合することができる、かつ／または、センサに対して遠隔で結合することができる。たとえば、センサは、センサによって検知される流体パラメータが、プリセットされたまたは所定のパラメータ値より大きいかまたは小さい（たとえば、所望の範囲外にある）とき電気信号を生成する。無線送信機は、センサによって生成される信号をゲートウェイにブロードキャストしかつ／または通信し、ゲートウェイは、無線送信機から受信される信号を構成し、構成された信号を、たとえば１つまたは複数のデータバス（Ｅｔｈｅｒｎｅｔ（登録商標）、Ｍｏｄｂｕｓなど）によって制御システムまたはモニタリングデバイスに送出する。特に、無線送信機は、本質安全パネルについての必要性を伴わずに、制御システムの無線インタフェースに無線信号を通信する本質安全電力モジュールを提供する。本明細書で開示される例示的な無線送信機は、危険場所または危険エリアでの使用のための本質安全認証を提供する。そのため、本明細書で述べる例示的なモニタリングシステムは、本質安全バリアまたはパネルにセンサを実配線する必要性をなくす。さらに、本明細書で述べる例示的なモニタリングシステムは、本質安全バリアまたはパネルについての必要性およびそれに伴うコストをなくす無線フィールドデバイスインタフェースを含む。さらに、無線インタフェースまたはゲートウェイは、無線送信機が、ディスクリートな入力カードなしで、ＯＰＣ、Ｍｏｄｂｕｓ、Ｅｔｈｅｒｎｅｔ（登録商標）、またはシリアル４８５によって通信することを可能にする。
【００１０】
図１は、危険環境１０４内でプロセスシステム１０２と共に使用するための知られているモニタリングシステム１００を示す。より具体的には、モニタリングシステム１００は、実配線された通信ネットワーク１０６によって実装される。一般に、モニタリングシステム１００がプロセスシステム１０２内で機能することを可能にする通信チャネル、リンク、および経路は、一般に総称的に通信ネットワークと呼ばれる。図１に示すように、モニタリングシステム１００は、タンク１１０内の流体（たとえば、液体、気体など）の圧力を検知するために、タンクまたは圧力容器１１０に結合したセンサ１０８（たとえば、バーストセンサ）を含む。危険用途（たとえば、石油化学産業、精錬業、電力事業、製紙業など）において、センサ１０８は、本質安全ターミナルバリアパネル１１２によって電力供給される。バリアパネル１１２は、危険な（たとえば、爆発性）雰囲気または状態での電子機器による安全運転について保護認証を提供する。図１に示すように、センサ１０８は、ワイヤ１１４によってバリアパネル１１２に接続される。次に、バリアパネル１１２は、センサ１０８から遠隔に配置されたアラーム１２０および／またはコントローラ１２２に、ワイヤ１１６および１１８によって通信可能に結合される。たとえば、アラーム１２０および／またはコントローラ１２２は、非危険場所１２４（たとえば、プロセスプラントの制御室）に配置される。そのため、モニタリングシステム１００は、モニタリングシステム１００が危険用途で使用されるとき、センサ１０８からバリアパネル１１２まで、また、バリアパネル１１２からコントローラ１２２（たとえば、制御室）までワイヤおよび導管を延ばすことを必要とする。
【００１１】
しかし、実配線された通信ネットワークは、特に、通信ネットワーク１０６が、比較的大きなエリアにわたって分散する大規模工業プラントまたは施設および／または比較的高い高さを有するタンクに関連する場合、通常、設置するのに費用がかかる。多くの事例では、通信ネットワーク１０６に関連する配線は、比較的長距離に、および／または、多くの構造（たとえば、壁、建物、機器など）を通って、それの下に、またはそれの周りに及ぶ必要がある場合がある。こうした長い配線の延長部は、通常、かなりの量の労力、したがって、費用を伴う。さらに、こうした長い配線の延長部は、共に信頼性のない通信をもたらしうる配線インピーダンスおよび結合される電気的干渉のせいで信号劣化を特に受け易い。
【００１２】
いくつかの例では、ハードウェアおよびハードウェアに関連するソフトウェアを含む、知られている無線通信ネットワークは、設置中に選択され、システムの後続の運転中に固定されるポイントツーポイント通信経路または直接通信経路を提供する。これらの知られている無線通信ネットワーク内で固定した通信経路を確立することは、通常、エキスパートが、送受信機および他の通信機器のタイプおよび／または場所を決定することを可能にする、費用がかかるサイト調査を実施する１人または複数人のエキスパートの使用を伴う。さらに、ポイントツーポイント通信経路によって提供される信号は、遮断されるまたは劣化し、したがって、受信機またはコントローラに効果的に通信されず、それにより、モニタリングシステムの精度および信頼性が減少する場合がある。さらに、こうした知られている無線通信ネットワークは、本質安全無線デバイスを欠くことが多く、したがって、危険状態または危険環境で使用されるフィールドデバイスまたはセンサに関して電力および／または通信を提供する本質安全ターミナルバリアパネル１１２の使用を必要とすることが多い。
【００１３】
図２は、本明細書で述べる例示的な無線通信ネットワーク２０２を有するプロセス制御システム２００のブロック図を示す。図２に示すように、プロセス制御システム２００の部分は、複数の無線フィールドデバイス２０４および２０６を含む。無線フィールドデバイス２０４および２０６はそれぞれ、それぞれのフィールドデバイスまたはセンサ２０８および２１０ならびに無線フィールドデバイスインタフェース２１２および２１４（たとえば、無線送受信機）を含む。無線フィールドデバイスインタフェース２１２および２１４は、それぞれのフィールドデバイス２０８および２１０（たとえば、センサ）によって生成される信号をブロードキャストまたは通信する。一般に、無線フィールドデバイスインタフェース２１２および２１４は、少なくとも１つの無線インタフェース２１８（たとえば、ゲートウェイ）によって制御システム２１６に通信可能に結合される。無線インタフェース２１８は、通信ハブとして役立つことができる。無線インタフェース２１８は、たとえば、Ｅｔｈｅｒｎｅｔ接続２２０、Ｍｏｄｂｕｓ  Ｅｔｈｅｒｎｅｔ接続２２２、シリアルＲ４８５接続２２４、および／または、任意の他の適した接続（複数可）によって制御システム２１６に通信可能に結合することができる。無線インタフェース２１８はまた、たとえば、ローカルインタフェース２２６、シリアルｍｏｄｂｕｓ２２８、リモートインタフェース２３０、Ｍｏｄｂｕｓ  ＴＣＰ／ＩＰ２３２、Ｄｅｌｔａ  ＶまたはＡＭＳ２３４、ＯＰＣ２３６、および／または任意の他の適した通信規格（複数可）またはプロトコル（複数可）などの通信規格およびプロトコルをサポートまたは利用することができる。
【００１４】
無線フィールドデバイス２０４は、無線フィールドデバイス２１０などの他の同様に利用可能な無線フィールドデバイスおよび／または無線インタフェース２１８などの１つまたは複数の無瀬インタフェースとの無線通信を実施するためのものである非スマートタイプのフィールドデバイス（たとえば、センサ）とすることができる。具体的には、無線フィールドデバイス２０４および２０６はそれぞれ、１つまたは複数の無線通信チャネル、経路、またはリンク２３８、２４０、および２４２によって通信するように構成することができる。そのため、無線フィールドデバイス２０４および２０６はそれぞれ、複数のまたは冗長な通信経路２３８、２４０、および２４２によって無線インタフェース２１８と通信することができる。一般に、それぞれのフィールドデバイス２０８および２１０の無線フィールドデバイスインタフェース２１２および２１４は、メッシュネットワークの１つまたは複数の無線フィールドノード２４４を形成するために使用することができる。こうした無線フィールドノード２４４を、制御システム２１６から遠隔に配置することができる。たとえば、第１の無線フィールドデバイスインタフェース２１２はメッシュネットワークの第１のフィールドノードとすることができ、第２の無線フィールドデバイスインタフェース２１４はメッシュネットワークの第２のフィールドノードとすることができる。無線フィールドデバイスインタフェース２１２および２１４はそれぞれ、それぞれのフィールドデバイス２０８および２１０によって生成される信号を送信する、かつ／または、無線インタフェース２１８によって制御システム２１６からの信号を受信する無線通信インタフェース回路要素を含むことができる。無線フィールドデバイスインタフェース２１２および／または２１４は、アンテナ２４６を介して無線信号および／または任意の所望の無線通信規格またはプロトコルによって通信することができる。
【００１５】
図３は、危険プロセス流体を有するプロセス制御システム３０２の無線フィールドデバイスまたはモニタリングシステム３００によって実装される図２の例示的な無線通信ネットワーク２０２の一部を示す。図３の無線モニタリングシステム３００は、第１のディスクリート入力３０８（たとえば、簡易スイッチまたはドライ接点入力）によって無線フィールドデバイスインタフェースまたは無線送受信機３０６に結合したフィールドデバイス３０４を含む。無線送受信機３０６はまた、複数のフィールドデバイスを受取る複数のディスクリート入力を含むことができる。図示する例では、無線送受信機３０６は、第２のフィールドデバイス（図示せず）を受取る第２の入力３１０を含む。
【００１６】
図３に示すように、無線モニタリングシステム３００は、危険場所または危険エリア３１２に配設される。さらに、無線送受信機３０６は、危険状態で使用するための本質安全認証を提供する。無線送受信機３０６は、内蔵電力モジュール（たとえば、電池パック）を有する自己電力供給式送信機である。たとえば、無線送受信機３０６は、Ｒｏｓｅｍｏｕｎｔ，Ｉｎｃ．によって製造されたローズマウント７０２無線送信器とすることができる。図１の知られている実配線されたモニタリングシステム１００または知られている無線ネットワークと違って、無線モニタリングシステム３００は、本質安全バリアパネル（たとえば、図１のバリアパネル１１２）の使用を必要としない。
【００１７】
無線送受信機３０６は、無線インタフェースまたはゲートウェイ３１４に通信可能に結合される。ゲートウェイ３１４は、接続３１８によって制御システム３１６（たとえば、ホストシステム、コントローラ、アラーム、または他のシステム）に結合される。たとえば、制御システム３１６は、非危険場所３２０内に配置された制御室にあるとすることができる。さらに、図２の無線フィールドデバイス２０４および２０６と同様に、無線モニタリングシステム３００は、メッシュネットワーク（たとえば、完全なまたは部分的なメッシュトポロジ）のノードとすることができ、また、プロセスシステム３０２内で他の無線利用可能フィールドデバイスおよび／または無線インタフェースと同時に通信することができる。
【００１８】
示す例のフィールドデバイス３０４はバーストセンサ３２２である。バーストセンサ３２２は、それぞれのパイプ３２８および３３０のフランジ３２４と３２６との間に結合される。バーストセンサ３２２は、タンクまたは流体格納容器３３２内の流体の圧力（たとえば、流体パラメータまたは特性）を検知またはモニターする。バーストセンサ３２２は、タンク３３２内の圧力が所望の設定点圧力（たとえば、プリセットされたパラメータまたは値）より大きいと、接続または係合位置３３６から脱係合または破断位置３３８（点線で示す）に移動するフィラメント３３４を含む。そのため、バーストセンサ３２２は、ワイヤ３４０を介して無線送受信機３０６のディスクリート入力３０８に電気結合されるスイッチセンサ（図示せず）を提供する。物理的接続部は、スクリューターミナル、プラグ式接続（たとえば、雌または雄ヘッダ）、絶縁変位接続部、および／または、任意の他の所望のタイプの電気接続部（複数可）を提供することができる。たとえば、ローズマウント７０２無線送信機は、それぞれの第１および第２のディスクリート入力を介して１つまたは複数の単極単投スイッチから入力を受容できる。他の例では、バーストセンサ３２２および無線送受信機３０６は、一体構造とすることができる。フィールドデバイス３０４に結合されると、無線送受信機３０６を示すタグまたはネットワークＩＤは、ゲートウェイ３１４によってオペレータインタフェースまたは制御システム３１６内において割当てられるため、特定のフィールドデバイス３０４またはバーストセンサ３２２を、制御システム３１６によってモニターすることができる。
【００１９】
運転時、バーストセンサ３２２が接続位置３３６にあると、回路が完成するかまたは閉じる。閉じた回路またはスイッチは、論理真出力信号を生成する。無線送受信機３０６は、プロセスシステム３０２内で無線通信経路３４２および／または他の無線利用可能フィールドデバイスによって論理真出力信号をゲートウェイ３１４にブロードキャストする。ゲートウェイ３１４は、次に、論理真出力信号を制御システム３１６に通信する。バーストセンサ３２２が破断位置３３８にあると（たとえば、タンク３３２内の圧力がバーストセンサ３２２の破断定格より大きいと）、回路が不完全になるかまたは開く。開いた回路またはスイッチは、論理偽出力信号を駆動する。無線送受信機３０６は、無線通信経路３４２によってゲートウェイ３１４に偽出力信号（たとえば、開信号および閉信号）をブロードキャストおよび／または通信する。次に、ゲートウェイ３１４は、その信号を制御システム３１６に通信し、制御システム３１６は、バーストセンサ３２２に関連する破壊ディスクが破壊したというアラームまたは指示をオペレータに提供することができる。たとえば、無線送受信機３０６によって提供される無線信号は、ディスクリート入力の代わりに、たとえばＨＡＲＴ（商標）またはＭｏｄｂｕｓタグによってモニターすることができる。図示しないが、他の例では、フィールドデバイス３０４またはセンサは、圧力または流体逃がしを検出するために、安全逃がし弁に結合することができる。
【００２０】
図４は、本明細書で開示される例示的な無線モニタリングシステムを実装するために使用することができる例示的なプロセス４００のフロー図を示す。例示的なプロセス４００は、フィールドデバイスによって流体の特性またはパラメータ（たとえば、流体圧力）をモニターする（ブロック４０２）ことによって始まる。たとえば、フィールドデバイスは、流体格納容器内の流体の圧力をモニターすることができ、また、流体特性またはパラメータがプリセット値から偏移すると信号を生成する（ブロック４０４）ように構成される。たとえば、フィールドデバイスは、たとえばバーストセンサ（たとえば、図３のバーストセンサ３２２）などのセンサを含むことができ、バーストセンサは、流体格納容器内の圧力が所定の圧力値より大きいと、破断位置に移動するフィラメントを有する。フィラメントが破断位置に移動することを検出すると、フィールドデバイスは、電気信号を生成する。
【００２１】
フィールドデバイスに結合する無線送信機または送受信機は、生成された信号を受信または検出する（ブロック４０６）。たとえば、フィールドデバイスは、ワイヤによって無線送受信機に結合することができる。この例では、無線送信機は、危険場所で使用するための本質安全認証を提供する内蔵電力モジュールによって、また、本質安全バリアなしで電力供給される。
【００２２】
次に、無線送受信機は、生成された信号をブロードキャストする（ブロック４０８）。たとえば、無線送受信機は、無線インタフェースに通信可能に結合され、生成された信号を無線インタフェースに無線で送出する。たとえば、無線インタフェースはゲートウェイとすることができる。
【００２３】
いくつかの例では、制御システムは、生成された信号を無線インタフェースから受信する（ブロック４１０）。たとえば、無線インタフェースは、制御システムに通信可能に結合されて、制御室内のオペレータに生成された信号を報知することができる。いくつかの例では、制御システムを、非危険場所（たとえば、制御室）に配置することができ、フィールドデバイスおよび無線送受信機を、危険場所に配置することができる。
【００２４】
ある例示的な製造方法、製造装置、および製造物品が本明細書で述べられたが、本特許の包含範囲は、それに限定されない。逆に、本特許は、字義的にまたは均等論に基づいて添付特許請求項の範囲内に十分に入る全ての製造方法、製造装置、および製造物品を包含する。
【図１】
2014523037.tif 000003
【図２】
2014523037.tif 000004
【図３】
2014523037.tif 000005
【図４】
2014523037.tif 000006
【国際調査報告】
2014523037.tif 000007
2014523037.tif 000008
2014523037.tif 000009